(57)【要約】【課題】  ディスクをディスクトレイに載せて搬送し、ターンテーブルに載置するために位置決めするディスク位置決め手段に関し、簡単な構造で構成し、ディスクトレイ上で位置ずれを生じた前記ディスクを所定位置に正確に修正することが出来るディスク装置を備えた電子機器を得る。【解決手段】  ディスク外周縁３５を案内するテーパ状の案内斜面４４と、該案内斜面４４の下端４５からディスク載置面４９に至る概直角に形成した内壁面４７を形成してディスクトレイ４に対して前記ディスク３を位置決めするように構成したＤＶＤ装置２において、ディスクトレイ４の開口側４３に位置して案内斜面４４の一部を前記ディスクトレイ４の上面４６から突出するように延設した案内部５０、５１を間隔をおいて複数形成した。【選択図】      図１
2006179115.tif 000002
【特許請求の範囲】
【請求項１】
記録媒体であるディスクを装填する開口部を有して前記ディスクを回転駆動する装置と、前記ディスクを載置して前記装置外方から前記開口部を介して装置内に移動させるディスクトレイと、該ディスクトレイを両側面から進退可能に支持する筐体とを備え、前記ディスクトレイに前記ディスクの外周縁を案内するテーパ状の案内斜面と、該案内斜面の下端から前記ディスクの載置面に至る概直角に形成した内壁面とを形成して前記ディスクトレイに対して前記ディスクを位置決めするように構成したディスク装置を備えた電子機器において、前記ディスクトレイの開口側に位置して前記案内斜面の一部を前記ディスクトレイの上面から突出するように延設して前記案内斜面からずれたディスクを前記案内斜面の内側に誘い込む案内部を間隔をおいて複数形成したことを特徴とするディスク装置を備えた電子機器。
【請求項２】
前記案内部がリブ状であることを特徴とする請求項１記載のディスク装置を備えた電子機器。
【請求項３】
前記ディスクトレイの両側縁から内側に向かって前記案内部を幅広に形成したことを特徴とする請求項１記載のディスク装置を備えた電子機器。
【発明の詳細な説明】
【技術分野】
【０００１】
本発明は、ディスクをディスクトレイに載せてディスク装置内に搬送し、ターンテーブルに載置するために位置決めするディスク位置決め手段に関し、簡単な構造で構成し、ディスクトレイ上で位置ずれの生じた前記ディスクを所定位置に正確に修正することが容易で、且つ実用性に優れたディスク装置を備えた電子機器に関する。
【背景技術】
【０００２】
従来から、ディスク装置内に配置されるディスクの位置決め手段においては、例えば従来技術として特許文献１の「ディスクトレイおよび該ディスクトレイを有するディスク装置」などがある。このディスク装置には、図１１及び図１２に示すようにディスク６０を図示しないディスク装置内部のディスク装填位置６３とディスク装置に使用されるディスクトレイ６２のディスク載置部６４に、ディスク６０の外周面６５を案内する案内斜面６６と、前記案内斜面６６の下端部に連続して形成され、前記ディスクトレイ６２に載置されたディスク６０の外周面６５と対面し、かつ前記外周面６５とほぼ平行な内壁面６７とを設け、前記案内斜面６６の上端の少なくとも一部に前記ディスク載置部の平面と垂直な壁状のディスク離脱防止部材６８が設けられている。
【０００３】
【特許文献１】特開２００２−２９８４８８号公報
【発明の開示】
【発明が解決しようとする課題】
【０００４】
前述の従来技術において、前記ディスク６０をディスクトレイ６２のディスク載置部６４に装填し、該ディスクトレイ６２を装置内部に搬送するときに、前記ディスク６０が位置ずれを起こして離脱することを防止するために、前記案内斜面６６の上端部には前記ディスク離脱防止部材６８が形成されているが、前記ディスク装置は横置きと縦置きの両方に対応するものであり、前記ディスク離脱防止部材６８は前記ディスク装置を縦置きにした際のディスク離脱防止を目的とし、横置きの際の装填位置ガイドの役割も備えているが、前記縦置きのために前記ディスク離脱防止部材６８はディスクがディスク装填位置６３に装填された際にディスク外周面６５に近接して前記ディスク６０の回転軸と同心円状に配置され、且つディスク平面に対して垂直に形成されている。これにより、ディスク外周面６５と前記ディスク離脱防止部材６８との隙間は狭く形成せざるを得ず、ディスク６０を装填する際は取り扱いに注意を払う必要がある。従って、ディスク６０をディスクトレイ６２に装填する際の取り扱いの不注意など、何らかの事由で前記ディスクが前記ディスク離脱防止部材６８の上端部に引っ掛かり前記垂直壁状のディスク離脱防止部材６８に乗り上げたままディスクトレイ６２が搬送を開始してしまうと、図示しないディスク装置のフロントパネルに開口した開口部６９と前記ディスクトレイ６２に形成したディスク離脱防止部材６８との間に挟まれてディスク６０が歪められるとか、ディスク記録面に擦り傷や打傷を生じてしまうといった懸念があった。
【０００５】
前記従来技術において、ディスク６０をディスクトレイ６２に装填する際の取り扱いの不注意などの事由により、前記ディスク６０が前記ディスク離脱防止部材６８に乗り上げた状態でディスクトレイ６２を搬送させてしまうと、前記ディスク６０がディスク装置の開口部１３と垂直壁状に形成された前記ディスク離脱防止部材６８との間に挟まれて前記ディスク記録面に傷を負うとかディスク６０が歪められてしまうといった懸念に対して、本発明は、前記ディスクトレイ６０に形成する案内斜面６６の機能を補強することにより、前記ディスクトレイ６２に対して位置ずれをし、前記案内斜面６６からはみ出した状態でディスク６０が装填されても、前記ディスクトレイ６２を簡単な構造で構成し、前記ディスク６０を正確、且つ確実に位置を修正して前記所定位置に案内することが出来る取り扱いが容易で実用性に優れたディスク装置を備えた電子機器を得るものである。
【課題を解決するための手段】
【０００６】
請求項１のディスク装置を備えた電子機器は、記録媒体であるディスクを装填する開口部を有して前記ディスクを回転駆動する装置と、前記ディスクを載置して前記装置外方から前記開口部を介して装置内に移動させるディスクトレイと、該ディスクトレイを両側面から進退可能に支持する筐体とを備え、前記ディスクトレイに前記ディスクの外周縁を案内するテーパ状の案内斜面と、該案内斜面の下端から前記ディスクの載置面に至る概直角に形成した内壁面とを形成して前記ディスクトレイに対して前記ディスクを位置決めするように構成したディスク装置を備えた電子機器において、前記ディスクトレイの開口側に位置して前記案内斜面の一部を前記ディスクトレイの上面から突出するように延設して前記案内斜面からずれたディスクトレイを前記案内斜面の内側に誘い込む案内部を間隔をおいて複数形成したことを特徴とする。
【０００７】
請求項１の構成によれば、記録媒体であるディスクを装填する開口部を有して前記ディスクを回転駆動する装置と、前記ディスクを載置して前記装置外方から前記開口部を介して装置内に移動させるディスクトレイと、該ディスクトレイを両側面から進退可能に支持する筐体とを備え、前記ディスクトレイに前記ディスクの外周縁を案内するテーパ状の案内斜面と、該案内斜面の下端から前記ディスクの載置面に至る概直角に形成した内壁面とを形成して前記ディスクトレイに対して前記ディスクを位置決めするように構成したディスク装置を備えた電子機器において、前記ディスクトレイの開口側に位置して前記案内斜面の一部を前記ディスクトレイの上面から突出するように延設して前記案内斜面からずれたディスクを前記案内斜面の内側に誘い込む案内部を間隔をおいて複数形成したことにより、ディスクを載置面に案内する領域をディスクトレイの開口側に広げることが出来ると共に、前記案内部を前記ディスクトレイの上面より高く形成することより、前記案内斜面からずれてディスク外周縁の一部が前記ディスクトレイの上面より高くなってしまっても、前記案内部が前記ディスク外周縁に当接して前記案内斜面からずれたディスクを前記案内斜面へと誘導することが出来る。
【０００８】
請求項２のディスク装置を備えた電子機器は、請求項１記載のディスク装置を備えた電子機器において、前記案内部がリブ状であることを特徴とする。
【０００９】
請求項２の構成によれば、前記案内部がリブ状であることにより、前記ディスクが前記案内斜面からずれて前記ディスクトレイの幅方向にはみ出して装填されても、複数形成された前記リブ状の案内部の少なくとも１箇所がずれて装填されたディスクの外周縁と当接すれば、前記案内部と前記筐体の側面とによりディスクトレイの幅方向にずれて装填された前記ディスクを案内斜面へと誘導することが出来る。
【００１０】
請求項３のディスク装置を備えた電子機器は、請求項１記載のディスク装置を備えた電子機器において、前記ディスクトレイの両側縁から内側に向かって前記案内部を幅広に形成したことを特徴とする。
【００１１】
請求項３の構成によれば、前記ディスクトレイの両側縁から内側に向かって前記案内部を幅広に形成したことにより、前記ディスクが前記案内斜面からずれてディスクトレイの幅方向にはみ出して装填されても、略テーパ状で幅広に形成された前記案内部が少なくとも前記ディスクの外周縁の一部と当接すれば、テーパ状で幅広く形成された前記案内部と前記筐体の側面とによりディスクトレイの幅方向にずれて装填された前記ディスクを滑らかな動きで案内斜面へと誘導することが出来る。
【発明の効果】
【００１２】
請求項１の発明によれば、記録媒体であるディスクを装填する開口部を有して前記ディスクを回転駆動する装置と、前記ディスクを載置して前記装置外方から前記開口部を介して装置内に移動させるディスクトレイと、該ディスクトレイを両側面から進退可能に支持する筐体とを備え、前記ディスクトレイに前記ディスクの外周縁を案内するテーパ状の案内斜面と、該案内斜面の下端から前記ディスクの載置面に至る概直角に形成した内壁面とを形成して前記ディスクトレイに対して前記ディスクを位置決めするように構成したディスク装置を備えた電子機器において、前記ディスクトレイの開口側に位置して前記案内斜面の一部を前記ディスクトレイの上面から突出するように延設して前記案内斜面からずれたディスクを前記案内斜面の内側に誘い込む案内部を間隔をおいて複数形成したことにより、ディスクを載置面に案内する領域を簡単な構造で構成してディスクトレイの開口側に広げることが出来ると共に、前記案内部を前記ディスクトレイの上面より高く形成することより、前記案内斜面からずれてディスク外周縁の一部が前記ディスクトレイの上面より高くなってしまっても、前記案内部が前記ディスク外周縁に当接して前記案内斜面からずれたディスクを前記案内斜面の内側に誘い込み、前記内壁面に囲まれた前記載置面にディスクを載置することが出来る。
【００１３】
請求項２の発明によれば、前記案内部がリブ状であることにより、前記ディスクが前記案内斜面からずれて前記ディスクトレイの幅方向にはみ出して装填されても、複数形成された前記リブ状の案内部の少なくとも１箇所がずれて装填されたディスクの外周縁と当接すれば、前記案内部と前記筐体の側面とによりディスクトレイの幅方向にずれて装填された前記ディスクを案内斜面の内側に誘い込み、前記内壁面に囲まれた前記載置面にディスクを載置することが出来るので、ずれて装填されたディスクを所定位置である載置面に正確に修正することが出来る。
【００１４】
請求項３の発明によれば、前記ディスクトレイの両側縁から内側に向かって前記案内部を幅広に形成したことにより、前記ディスクが前記案内斜面からずれてディスクトレイの幅方向にはみ出して装填されても、略テーパ状で幅広に形成された前記案内部が少なくとも前記ディスクの外周縁の一部と当接すれば、前記テーパ状で幅広く形成された案内部と前記筐体の側面とによりディスクトレイの幅方向にずれて装填された前記ディスクを滑らかな動きで案内斜面の内側に誘い込み、前記内壁面に囲まれたディスク載置面にディスクを載置することが出来るので、ずれて装填されたディスクを所定位置である載置面に正確に修正することが出来る。
【発明を実施するための最良の形態】
【００１５】
以上のように、本発明は、ディスクをディスクトレイに載せて搬送し、ターンテーブルに載置するために位置決めするディスク位置決め手段に関し、簡単な構造で構成し、ディスクトレイ上で位置ずれの生じた前記ディスクを所定位置に正確に修正することが出来るディスク装置を備えた電子機器を得るものであるが、以下の実施例の説明においては、ＤＶＤディスク（以下、ディスクと略す）を搬送するディスクトレイに前記ディスク位置決め手段を形成したＤＶＤディスク装置（以下、ＤＶＤ装置と略す）を内蔵したテレビにおける実施例について説明する。
【００１６】
以下、本発明を実施するための最良の形態としての実施例を図１〜図１０により以下に説明する。もちろん、本発明は、その発明の趣旨に反さない範囲で、実施例において説明した以外のものに対しても容易に適用可能なことは説明を要するまでもない。
【００１７】
図１は本発明における第一実施例を示すテレビに内蔵されたＤＶＤ装置のディスクトレイの概略の構成を示す平面図である。図２は前記ディスクトレイを示す側面図である。図３はディスクを載置したディスクトレイを示す断面図である。図４はディスクトレイにディスクが位置ずれして案内部に乗り上げた状態で装填されたときを示す断面図である。図５はディスクトレイにディスクが左側に位置ずれした状態で装填されたときを示す平面図である。図６はディスクトレイにディスクが左側に位置ずれした状態で装填されたときを示す正面図である。図７はディスクが左側に位置ずれした状態で装填され、ディスクトレイがディスクを搬送途中にあるときを示す平面図である。図８はディスクトレイによる搬送が終了し、位置ずれして装填されたディスクが載置面に位置決めされた状態を示す平面図である。図９は本発明のＤＶＤ装置を内蔵したテレビを示す斜視図である。
【実施例１】
【００１８】
図９により、ＤＶＤ装置２を備えたテレビ１について説明する。このテレビ1の前面１１には、ＤＶＤ装置２が内蔵されており、記録媒体であるディスク３を装填するディスクトレイ４が進退する開口部１３が配置されている。
【００１９】
次に図８により、ＤＶＤ装置の概略の構成を説明する。このＤＶＤ装置２には装填された前記ディスク３をこのＤＶＤ装置２内部に搬送するディスクトレイ４と、ディスクトレイ４を図示しないガイドレールにより両側面から進退可能に支持する筐体２１と、搬送された前記ディスク３をターンテーブル２２に載置してクランパー２３で挟持するように構成されている。
【００２０】
続いて図１から図４により、本実施例におけるディスク３を所定の位置に位置決めするためのディスクトレイ４の構成について説明する。図１から図３によればこのディスクトレイ４には、ディスクの外周縁３５を案内するテーパ状の案内斜面４４と、該案内斜面４４の下端４５から前記ディスク３の載置面４９に至る概直角に形成した内壁面４７とを形成し、前記案内斜面４４の一部を前記ディスクトレイの上面４６から突出するように延設した案内部５０を前記ディスクトレイ４の開口側４３の左右４１、４２側にそれぞれ１箇所ずつ形成している。
【００２１】
このように、前記ディスクトレイ４の開口側４３に位置して前記案内斜面４４の一部を前記ディスクトレイの上面４６から突出するように延設することにより、図４に示すように前記案内斜面４４からずれたディスク３を前記案内斜面４４の内側に誘い込む案内部５０を間隔をおいて複数形成することが出来るので、ディスク３を載置面４９に案内する領域をディスクトレイ４の開口側４３に広げることが出来ると共に、前記案内部５０を前記ディスクトレイ４の上面４６より高く形成することにより、前記案内斜面４４からずれてディスク外周縁３５の一部が前記案内斜面４４の上面より高くなってしまっても、案内斜面４４の上面より高く形成された前記案内部５０が前記ディスク外周縁３５に当接して前記案内斜面４４からずれたディスク３を前記案内斜面４４の内側に誘い込み、前記内壁面４７に囲まれた前記載置面４９にディスク３を載置することが出来る。
【００２２】
続いて図５と図６により、前記ディスクトレイ４にディスク３を前記案内斜面４４から左方向４１にはみ出して大きく位置ずれして装填された状態について説明する。前述の図４に示すようにディスク３は案内斜面４４から左方向４１に位置ずれしており、ディスクトレイ４の外部にまではみ出していることを、はみ出し部３６と示している。図６は図５の正面図におけるディスクトレイ４とディスク３を示してあり、ディスクトレイ４の左方向にディスク３がはみ出している状態を示している。
【００２３】
続いて図７により、ディスクトレイ４が搬送を開始した状態について説明する。図７ではディスクトレイ４の左方向４１にはみ出して装填されたディスク３をＤＶＤ装置２内に搬送する行程途中で、前記筐体２１の側面２１ａが左方向４１にはみ出した前記ディスク３の外周縁３５に当接し、更に前記高く形成された２箇所の案内部５０のうち左側の案内部５０がディスク外周縁３５の後端に当接し、ディスクトレイ４がＤＶＤ装置２内に搬入する動作により、はみ出したディスク３の外周縁３５を筐体側面２１ａの当接部３７と後方（開口側４３）側の当接部３７から押し当てている。
【００２４】
次に図８及び図３によりディスク３の搬送が終了するまでの動作について説明する。図７で説明したように、前記筐体２１の側面２１ａが左方向にはみ出した前記ディスク３の外周縁３５に当接し、更に前記高く形成された２箇所の案内部５０のうち左側の案内部５０がディスク外周縁３５の後端に当接し、ディスクトレイ４がＤＶＤ装置２内に搬入する動作により、はみ出したディスク外周縁３５を筐体側面２１ａの当接部３７と後方（開口側４３）側の当接部３７から押し当ててディスク３をディスクトレイ４の内部へと押し込んでディスク位置の大まかな修正を行なうと共に、図８及び図３のように前記案内部５０と案内斜面４４が前記ディスク３を内壁面４７に囲まれた載置面４９に案内して正確に位置決めさせ、前記載置面４９に前記ディスク３を支持させることが出来るので、ＤＶＤ装置２に配置されたターンテーブル２２にディスク３を正確に載置させてクラーパー２３により挟持させることが出来る。
【実施例２】
【００２５】
次に、本発明における第二実施例について説明する。図１０は第二実施例におけるディスクトレイを示す平面図である。
【００２６】
図１０に示すディスクトレイ４には、図１で示した開口側４３の左右それぞれに形成した案内部５０を幅広に形成させた案内部５１を配置している。テーパ状の案内斜面４４に前記開口側４３の左右それぞれに前記案内部５１を加えることにより、前記ディスク３を載置面４９に案内する領域をディスクトレイ４の開口側４３に広げることが出来ると共に、前記案内部５１の斜面を前記案内斜面４４の上端より高く形成することが出来るので、前記案内斜面４４から左右方向にはみ出して装填された位置ずれの大きいディスク３は、このディスク３を前記ＤＶＤ装置２内に搬入移動する行程で、図８に示す筐体の側面２１ａが左右方向にはみ出した前記ディスク３の外周縁３５に当接し、更に前記高く形成された案内部５１がディスク外周縁３５の後端側に当接し、ディスクトレイ４がＤＶＤ装置２内に搬入する動作により、はみ出したディスク外周縁３５を筐体側面２１ａと幅広な案内部５１が後から押し当ててディスク位置の大まかな修正を行なうと共に、前記案内部５１と案内斜面４４が載置面４９に案内して正確に位置決めさせ、前記載置面４９に前記ディスク３を支持させることが出来る。更に、この案内部５１は前記案内斜面４４を延設して傾斜した幅広い曲面を形成しているので、該傾斜した幅広い曲面を持つ案内部５１がディスク外周縁３５に当接して案内することにより、滑らかな動きでディスク３を案内することが出来るので、正確且つ確実にディスク位置を修正させることが出来る。
【００２７】
以上のように本実施例の第一実施例によれば、記録媒体であるディスク３を装填する開口部１３を有して前記ディスク３を回転駆動するＤＶＤ装置２と、前記ディスク３を載置して前記ＤＶＤ装置２の外方から前記開口部１３を介して前記ＤＶＤ装置２内に移動可能なディスクトレイ４と、該ディスクトレイ４を両側面２１ａから進退可能に支持する筐体２１とを備え、前記ディスクトレイ４に前記ディスク３の外周縁３５を案内するテーパ状の案内斜面４４と、該案内斜面４４の下端４５から前記ディスク３の載置面４９に至る概直角に形成した内壁面４７とを形成して前記ディスクトレイ４に対して前記ディスク３を位置決めするように構成したＤＶＤ装置２を備えたテレビ１において、前記ディスクトレイ４の開口側４３に位置して前記案内斜面４４の一部を前記ディスクトレイ４の上面４６から突出するように延設して前記案内斜面４４からずれたディスク３を前記案内斜面４４の内側に誘い込む案内部５０を間隔をおいて複数形成することが出来るので、ディスク３を載置面４９に案内する領域をディスクトレイ４の開口側４３に広げることが出来ると共に、前記案内部５０を前記ディスクトレイ４上面４６より高く形成することより、前記案内斜面４４からずれてディスク外周縁３５の一部が前記ディスクトレイ４の上面４６より高くなってしまっても、高く形成された前記案内部５０が前記ディスク外周縁３５に当接して前記案内斜面４４からずれたディスク３を前記案内斜面４４の内側に誘い込み、前記内壁面４７に囲まれた前記載置面４９にディスク３を載置することが出来る。更に、前記案内部５０がリブ状であることにより、前記ディスク３が前記案内斜面４４からずれて前記ディスクトレイ４の幅方向にはみ出して装填されても、複数形成された前記リブ状の案内部５０の少なくとも１箇所がずれて装填されたディスク３の外周縁３５と当接すれば、前記案内部５０と前記筐体２1の側面２１ａとによりディスクトレイ４の幅方向にずれて装填された前記ディスク３を案内斜面４４の内側に誘い込み、前記内壁面４７に囲まれた前記載置面４９にディスク３を載置することが出来るので、ずれて装填されたディスク３を所定位置である載置面４９に正確に修正することが出来る。
【００２８】
また、第二実施例によれば、前記ディスクトレイ４の両側縁から内側に向かって幅広の案内部５１を形成したことにより、前記ディスク３が前記案内斜面４４からずれてディスクトレイ４の幅方向にはみ出して装填されても、略テーパ状で幅広に形成された前記案内部５１が少なくとも前記ディスク３の外周縁３５の一部と当接すれば、前記テーパ状で幅広く形成された案内部５１と前記筐体２１の側面２１ａとによりディスクトレイ４の幅方向にずれて装填された前記ディスク３を滑らかな動きで案内斜面４４の内側に誘い込み、前記内壁面４７に囲まれたディスク載置面４９にディスク３を載置することが出来るので、ずれて装填されたディスク３を所定位置である載置面４９に正確且つ確実に修正することが出来るので、位置ずれして装填されたディスク３がテレビ１の開口部１３に挟まれて歪んでしまうとか損傷を受けるといった問題を防止することが出来る。更に、前記案内部５０、５１は簡単な構造で構成することが出来るので、本実施例におけるディスク３のディスク位置ずれ防止構造には特別な費用を必要とすることはない。これにより、前記ＤＶＤ装置２を内蔵したテレビ１において、ディスクトレイ４に位置ずれして装填されたディスク３は前記ディスクトレイ４に形成した案内部５０または５１によって所定位置である載置面４９に正確に修正されて前記ＤＶＤ装置２内のターンテーブル２２に載置することが出来るので、テレビ１の視聴者は前記ディスク３をディスクトレイ４に装填することを容易に行うことが出来る。
【００２９】
以上、本実施例を詳述したが、本発明は、前記実施例に限定されるものではなく、本発明の要旨の範囲内で種々の変形実施が可能である。例えば、前記電子機器はＤＶＤ装置２を内蔵したテレビ１に限らず単独で録画や再生が可能なＤＶＤ装置２であってもよく、また前記ディスク装置はディスク状の記録媒体を搬送するディスクトレイを有する装置であればＣＤやＭＤなどの音響装置でもよく、更に前記案内部５０、５１は左右に１箇所ずつである必要はなく左右に２箇所以上配置されても前記案内斜面４４より可能な限り高く形成されていればよく、前記ＤＶＤ装置２の設計における高さ制限を配慮して変更するなど前記実施例に限定されるものではなく、適宜選定すればよい。
【図面の簡単な説明】
【００３０】
【図１】本発明の第一実施例を示すテレビに内蔵されたＤＶＤ装置のディスクトレイの概略の構成を示す平面説明図である。
【図２】本発明におけるディスクトレイを示す側面説明図である。
【図３】本発明におけるディスクトレイにディスクを載置した状態を示す断面説明図である。
【図４】本発明におけるディスクトレイにディスクが位置ずれして案内部に乗り上げた状態で装填されたときを示す平面説明図である。
【図５】本発明におけるディスクトレイにディスクが左側に位置ずれした状態で装填されたときを示す平面説明図である。
【図６】本発明におけるディスクトレイにディスクが左側に位置ずれした状態で装填されたときを示す正面説明図である。
【図７】本発明におけるディスクが左側に位置ずれした状態で装填され、ディスクトレイがディスク搬送途中にあるときを示す平面説明図である。
【図８】本発明におけるディスクトレイによる搬送が終了し、位置ずれして装填されたディスクが所定位置に位置決めされた状態を示す平面説明図である。
【図９】本発明のディスク装置を内蔵したテレビを示す斜視説明図である。
【図１０】本発明の第二実施例を示すディスクトレイの平面説明図である。
【図１１】従来のディスクトレイの概略の構成を示す平面説明図である。
【図１２】従来の位置ずれをして装填されたディスクがディスクトレイの搬送時にディスク装置の開口部に挟まれた状態を示す断面説明図である。
【符号の説明】
【００３１】
１          テレビ
１３        開口部
２          ＤＶＤ装置
２１        筐体
２１ａ      筐体側面
３          ディスク
３５        ディスク外周縁
４          ディスクトレイ
４３        開口側
４４        案内斜面
４５        案内斜面の下端
４６        ディスクトレイの上面
４７        内壁面
４９        載置面
５０        リブ状案内部
５１        幅広な案内部
【図１】
2006179115.tif 000003
【図２】
2006179115.tif 000004
【図３】
2006179115.tif 000005
【図４】
2006179115.tif 000006
【図５】
2006179115.tif 000007
【図６】
2006179115.tif 000008
【図７】
2006179115.tif 000009
【図８】
2006179115.tif 000010
【図９】
2006179115.tif 000011
【図１０】
2006179115.tif 000012
【図１１】
2006179115.tif 000013
【図１２】
2006179115.tif 000014